(57)【要約】【課題】  各種の異なる型番のバッテリの金属片に強固に接続させて充電させることができる上、構造が簡素で、操作が容易であり、実用的である多機能充電器を提供する。【解決手段】多機能充電器は、変圧器１及び充電コード１２を備える。変圧器１は、一方の端部に設けられたＵＳＢコネクタ１１と、他方の端部に設けられた充電コード１２とを有する。充電コード１２の端部には、プローブ１２１が設けられ、シリコーンゴム１３が熱融着され、充電する際、シリコーンゴム１３によりバッテリ２を被覆する。充電コード１２に設けられたプローブ１２１及びシリコーンゴム１３が優れた弾性を有するため、充電する際、バッテリ２の金属片２１に充電コード１２のプローブ１２１を位置合わせしてシリコーンゴム１３によりバッテリ２を被覆すると、プローブ１２１がバッテリ２の金属片２１に強固に接続され、ホストコンピュータにＵＳＢコネクタ１１を接続させて充電を行う。【選択図】  図１
0003175731.tif 000002
【実用新案登録請求の範囲】
【請求項１】
変圧器及び充電コードを備えた多機能充電器であって、
前記変圧器は、一方の端部に設けられたＵＳＢコネクタと、他方の端部に設けられた前記充電コードと、を有し、
前記充電コードの端部には、プローブが設けられ、シリコーンゴムが熱融着され、充電する際、前記シリコーンゴムによりバッテリを被覆し、
前記充電コードに設けられた前記プローブ及び前記シリコーンゴムが優れた弾性を有するため、充電する際、前記バッテリの金属片に前記充電コードの前記プローブを位置合わせして前記シリコーンゴムにより前記バッテリを被覆すると、前記プローブが前記バッテリの前記金属片に強固に接続され、充電のためホストコンピュータに前記ＵＳＢコネクタを接続させてなることを特徴とする多機能充電器。
【請求項２】
前記充電コードの前記プローブを弾片で代替し、前記シリコーンゴムと共に使用することにより、前記バッテリに強固に接続させて充電を行うことを特徴とする請求項１に記載の多機能充電器。
【請求項３】
前記充電コードの前記シリコーンゴムをゴムで代替し、前記プローブと共に使用して充電することを特徴とする請求項１に記載の多機能充電器。
【請求項４】
前記変圧器の前記ＵＳＢコネクタを電源プラグで代替し、電源コンセントに直接挿入して充電することを特徴とする請求項１に記載の多機能充電器。
【請求項５】
前記変圧器が正負極を自動的に識別するインテリジェント変圧器であり、前記充電コードが実用的であることを特徴とする請求項１に記載の多機能充電器。
【考案の詳細な説明】
【技術分野】
【０００１】
本考案は、充電器に関するものであり、さらに詳しくは、多機能充電器に関するものである。
【背景技術】
【０００２】
従来の充電器は、板状に形成した形状の弾片構造を使用するのが一般的である。バッテリを充電する際、バッテリの金属片に前記の如き弾片を接続させて充電を行うが、強固に接続させることができないため、充電の途中でショートしたり、バッテリの使用寿命が短くなることがあるという問題を有する。
【考案の概要】
【考案が解決しようとする課題】
【０００３】
本考案の第１の目的は、充電コードに設けられたプローブ及びシリコーンゴムに優れた弾性を持たせることにより、様々な型番のバッテリの金属片に強固に接続させて充電させることができ、さらに、構造が簡素で、操作が容易であり、実用的な多機能充電器を提供することにある。
【０００４】
本考案の第２の目的は、充電コードのプローブを弾片で代替し、シリコーンゴムと共に使用することにより、バッテリに強固に接続させて充電することができる多機能充電器を提供することにある。
【０００５】
本考案の第３の目的は、充電コードのシリコーンゴムをゴムで代替し、プローブと共に使用して充電することができる多機能充電器を提供することにある。
【０００６】
本考案の第４の目的は、変圧器のＵＳＢコネクタを電源プラグで代替し、電源コンセントに直接挿入して充電することができる多機能充電器を提供することにある。
【０００７】
本考案の第５の目的は、変圧器が正負極を自動的に識別するインテリジェント変圧器であり、充電コードが実用的な多機能充電器を提供することにある。
【課題を解決するための手段】
【０００８】
上記課題を解決するために、本考案の第１の実施形態によれば、変圧器及び充電コードを備えた多機能充電器であって、前記変圧器は、一方の端部に設けられたＵＳＢコネクタと、他方の端部に設けられた前記充電コードと、を有し、前記充電コードの端部には、プローブが設けられ、シリコーンゴムが熱融着され、充電する際、前記シリコーンゴムによりバッテリを被覆し、前記充電コードに設けられた前記プローブ及び前記シリコーンゴムが優れた弾性を有するため、充電する際、前記バッテリの金属片に前記充電コードの前記プローブを位置合わせして前記シリコーンゴムにより前記バッテリを被覆すると、前記プローブが前記バッテリの前記金属片に強固に接続され、充電のためホストコンピュータに前記ＵＳＢコネクタを接続させてなることを特徴とする多機能充電器が提供される。
【０００９】
前記充電コードの前記プローブを弾片で代替し、前記シリコーンゴムと共に使用することにより、前記バッテリに強固に接続させて充電を行うことが好ましい。
【００１０】
前記充電コードの前記シリコーンゴムをゴムで代替し、前記プローブと共に使用して充電することが好ましい。
【００１１】
前記変圧器の前記ＵＳＢコネクタを電源プラグで代替し、電源コンセントに直接挿入して充電することが好ましい。
【００１２】
前記変圧器が正負極を自動的に識別するインテリジェント変圧器であり、前記充電コードが実用的であることが好ましい。
【考案の効果】
【００１３】
本考案に係る多機能充電器は、前記の通りの構成からなるものであり、種々の異なる型番のバッテリー金属片に対して、構造が簡単で、簡素な操作により、強固に接続することができる。
【図面の簡単な説明】
【００１４】
【図１】本考案の第１実施形態に係る多機能充電器を示す斜視図である。
【図２】本考案の第１実施形態に係る多機能充電器の充電コードをバッテリに接続させたときの状態を示す斜視図である。
【図３】本考案の第１実施形態に係る多機能充電器の充電コードをバッテリに接続させたときの状態を示す斜視図である。
【図４】本考案の第２実施形態及び第３実施形態に係る多機能充電器を示す斜視図である。
【図５】本考案の第４実施形態に係る多機能充電器を示す斜視図である。
【考案を実施するための形態】
【００１５】
以下、本考案の実施形態について図面に基づいて説明する。なお、これらによって本考案が限定されるものではない。
【００１６】
（第１実施形態）
図１〜図３を参照する。図１〜図３に示すように、本考案の第１実施形態に係る多機能充電器は、少なくとも変圧器１及び充電コード１２から構成される。
【００１７】
変圧器１は、一方の端部に設けられたＵＳＢコネクタ１１と、他方の端部に設けられた充電コード１２とを有する。
【００１８】
充電コード１２の端部には、プローブ１２１が設けられ、シリコーンゴム１３が熱融着されている。充電する際、バッテリ２は、シリコーンゴム１３により被覆される。
【００１９】
バッテリ２には金属片２１が配置されている。実際に充電する際、金属片２１には、充電コード１２のプローブ１２１が接続される。
【００２０】
充電コード１２に設けられたプローブ１２１及びシリコーンゴム１３が優れた弾性を有するため、充電する際、バッテリ２の金属片２１に充電コード１２のプローブ１２１を位置合わせし、シリコーンゴム１３によりバッテリ２を被覆すると、プローブ１２１がバッテリ２の金属片２１に強固に接続され、ホストコンピュータにＵＳＢコネクタ１１を接続させて充電することができる。このように、多機能充電器は、構造が簡素であり、操作が容易であり、実用的である。
【００２１】
（第２実施形態）
図４を参照する。図４に示すように、本考案の第２実施形態に係る多機能充電器は、充電コード１２のプローブ１２１を弾片１２２で代替してもよい。弾片１２２をシリコーンゴム１３と共に使用することにより、バッテリ２に強固に接続させて充電することができる。
【００２２】
（第３実施形態）
図４を参照する。図４に示すように、本考案の第３実施形態に係る多機能充電器は、充電コード１２のシリコーンゴム１３をゴム１４で代替してもよい。この構成により、ゴム１４をプローブ１２１と共に使用して充電することができる。
【００２３】
（第４実施形態）
図５を参照する。図５に示すように、本考案の第４実施形態に係る多機能充電器は、変圧器１のＵＳＢコネクタ１１を電源プラグ１５で代替してもよい。この構成により、電源コンセントに電源プラグ１５を直接挿入して充電することができる。
【００２４】
（第５実施形態）
本考案の第５実施形態に係る多機能充電器の変圧器１は、正負極を自動的に識別するインテリジェント変圧器にしてもよい。この構成により、充電コード１２の実用性が高まる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１  変圧器
２  バッテリ
１１  ＵＳＢコネクタ
１２  充電コード
１３  シリコーンゴム
１４  ゴム
１５  電源プラグ
２１  金属片
１２１  プローブ
１２２  弾片
【図１】
0003175731.tif 000003
【図２】
0003175731.tif 000004
【図３】
0003175731.tif 000005
【図４】
0003175731.tif 000006
【図５】
0003175731.tif 000007